(57)【要約】【課題】硬質表面を処理した瞬間は仄かに香るが、処理後は香りがほとんど残らない硬質表面の処理方法を提供する。【解決手段】ハーブ植物の水蒸気蒸留水を配合してなる処理液で硬質表面を処理する、硬質表面の処理方法。【選択図】なし【特許請求の範囲】
【請求項１】
ハーブ植物の水蒸気蒸留水を配合してなる処理液で硬質表面を処理する、硬質表面の処理方法。
【請求項２】
前記処理液が、前記水蒸気蒸留水と水とを配合してなる、請求項１記載の硬質表面の処理方法。
【請求項３】
前記処理液を、硬質表面に噴霧して処理する、請求項１又は２記載の硬質表面の処理方法。
【請求項４】
前記水蒸気蒸留水が、１，８−シネオールを含む、請求項１〜３の何れか１項記載の硬質表面の処理方法。
【請求項５】
ハーブ植物が、ローズマリー、ラベンダー、レモンバーム、レモングラス、レモンバーベナ、ジャーマンカモミール、ローマンカモミール、クローブ、セントジョーンワート、タイム、ティーツリー、ユーカリ、ロースゼラニウム、スペアミント、ペパーミント、アルベンシスミント、パルマローザ、ブラックマロー、よもぎ、エキナセアから選ばれる１種以上のハーブ植物である、請求項１〜４の何れか１項記載の硬質表面の処理方法。
【発明の詳細な説明】
【技術分野】
【０００１】
本発明は硬質表面の処理方法に関する。
【背景技術】
【０００２】
近年、キッチンやテーブルなどを安全性の観点からエタノールなどの殺菌性溶剤や界面活性剤などの洗浄成分が含まれた硬質表面処理液を接触させて拭き掃除することが一般的に行われている。また、このような硬質表面処理剤に香料を応用する技術も研究されている。
【０００３】
特許文献１には、エタノールと所定の界面活性剤と炭化水素系香料を所定範囲の含有量で含有する除菌用組成物が開示されている。
また、特許文献２には、乳化作用を有する水溶性のアニオン性ポリマー及び香料を含有する乳化液が含浸されてなる硬質表面用ウエットシートであって、前記ウエットシートは、該ウエットシートによって硬質表面を拭くことで、該ウエットシートから前記含浸された乳化液を該硬質表面に放出させた後、該硬質表面を洗い流さず、該乳化液及び該乳化液中の前記香料が該硬質表面に残留するように用いられるものである硬質表面用ウエットシートが開示されている。
また、特許文献３には、所定の界面活性剤、窒素含有ポリマー、並びに、水および任意の有機溶媒を包含する水性担体を含む抗菌性硬質表面清浄用組成物が開示されている。
【先行技術文献】
【特許文献】
【０００４】
【特許文献１】特開２０１１−２３６２０４号公報
【特許文献２】特開２０１３−２５５６０５号公報
【特許文献３】特表２００３−５１０４５０号公報
【発明の概要】
【発明が解決しようとする課題】
【０００５】
特許文献１〜３は、例えば実施例で比較的高濃度で香料を用いていることから、硬質表面を処理する場面や処理後に好ましい香りを呈することを目的としていると推察される。しかし、乳幼児のいる家庭などでは、テーブルなどの手、指、口に接触する対象物には、香りが残らないか無臭の処理剤の方が好まれる場合も多い。すすぎ工程を行う洗浄剤組成物では、洗い流すことにより香りを除去できるが、硬質表面用除菌・抗菌剤や硬質表面の仕上げ処理に用いられる処理剤のようなすすぎ工程を伴わないような処理剤では、香料を含有しない方が好まれる場合もある。一方で、処理した場合に香りが全くない水拭きのような方法の場合には、処理した達成感を感じない利用者も多い。こうした背景から、例えば、処理した瞬間は仄かに香るが、処理後は香りがほとんど残らない硬質表面処理剤が提供できれば、このような新たな要求に応えられるものとなる。
【０００６】
本発明は、硬質表面を処理した瞬間は仄かに香るが、処理後は香りがほとんど残らない硬質表面の処理方法を提供する。
【課題を解決するための手段】
【０００７】
本発明は、ハーブ植物の水蒸気蒸留水を配合してなる処理液で硬質表面を処理する、硬質表面の処理方法に関する。
【発明の効果】
【０００８】
本発明によれば、硬質表面を処理した瞬間は仄かに香るが、処理後は香りがほとんど残らない硬質表面の処理方法が提供される。
【発明を実施するための形態】
【０００９】
本発明では、ハーブ植物の水蒸気蒸留水を配合してなる処理液（以下、本発明の処理液という）で硬質表面を処理する。ここで、ハーブ植物の水蒸気蒸留水は、ハーブ植物の水抽出成分と水とを含む水性組成物であってよい。
【００１０】
ハーブ植物の水蒸気蒸留水を得るためのハーブ植物としては、ローズマリー、ラベンダー、レモンバーム、レモングラス、レモンバーベナ、ジャーマンカモミール、ローマンカモミール、クローブ、セントジョーンワート、タイム、ティーツリー、ユーカリ、ロースゼラニウム、スペアミント、ペパーミント、アルベンシスミント、パルマローザ、ブラックマロー、よもぎ、エキナセア等が挙げられる。硬質表面を処理した瞬間は仄かに香り、処理後は香りがほとんど残らない観点では、ローズマリー、ラベンダー、ユーカリ、タイム、ペパーミント、スペアミントから選ばれるハーブ植物の水蒸気蒸留水が好ましい。
【００１１】
植物の水蒸気蒸留水は、例えば、香料として利用する精油成分を水蒸気蒸留で植物から採取する際の水相成分として入手される。そのような水蒸気蒸留水には、僅かながら香料成分が含まれているため、賦香目的で各種用途、例えば化粧料などに用いられることがある。しかし、ハーブ植物、とりわけ前記した所定のハーブ植物の水蒸気蒸留水が、硬質表面に適用した際に、処理した瞬間は仄かに香るが、処理後は香りがほとんど残らないという効果をもたらすことは、従来、知られておらず、本発明は当業者には予想外の効果を奏するものである。
【００１２】
ハーブ植物の水蒸気蒸留水は、ハーブとして知られている各々の植物体の各種部位（花、花穂、果皮、果実、茎、葉、枝、枝葉、幹、樹皮、根茎、根皮、根、種子又は全草など）を、そのまま或いは粉砕後、公知の水蒸気蒸留装置を用いて得られた水蒸気蒸留水であってよい。水蒸気蒸留法については、植物から精油を得る為の手段として、例えば、藤巻正生ら「香料の事典」（p366.1980年８月２７日発行／朝倉書店）、亀高徳平ら「理論応用有機化学／第２１版」（p13.昭和２６年４月５日発行／丸善出版）などの文献を参照できる。又、水蒸気蒸留装置や原理についても、上記の文献などに示されている。尚、ハーブ植物の水蒸気蒸留水の製造方法は公知の水蒸気蒸留装置を用いて得られた水蒸気蒸留水であればよく、特に制限されるものではない。また、得られたハーブ植物の水蒸気蒸留水は、そのままの状態で利用できるが、必要ならば、その効果に影響のない範囲で更に、濾過、脱臭、脱色などの処理を加えてもよい。脱臭・脱色などの処理手段としては、活性炭カラムなどを用いればよく、一般的に適用される通常の手段を任意に選択して行えばよい。また、必要に応じて、防腐剤、溶媒などの成分を添加して組成を調整してもよい。
【００１３】
ハーブ植物の水蒸気蒸留では、香料成分の大部分はエッセンシャルオイルといわれる油層に存在するが、水蒸気蒸留水として取得される水層にも、わずかではあるが相対的に親水性の香料成分が含まれる。本発明ではそのような水蒸気蒸留水により硬質表面を処理することで、仄かに香り、残香しないという本発明の効果が発現する方法が可能となる。
【００１４】
ハーブ植物の水蒸気蒸留水に含まれる香料成分としては、ハーブ植物にもよるが、１，８−シネオール（２．７６／２０７．９８）、カンファー（２．１８／１．４３）、リナロール（２．５５／１１．０９）、テルピネン−４−オール（２．７５／５．６９）、テルピネオール（２．６３／２．６１）、リモネン（４．３５／１９３．３２）、ｌ−メントール（３．２３／１．０２）、メントン（２．８７／４９．３３）、酢酸リナリル（３．５／１７．４７）、ジヒドロジャスモン酸メチル（２．４２／０．１６）、ゲラニオール（２．７７／２．１２）、ｌ−カルボン（２．０１／１７．３３）、チモール（３．４０／２．２３）、シトラール（３．１２／１２．１７）、シトロネロール（３．２３／２．２５）、酢酸イソボルニル（３．５２／１４．２７）、サリチル酸メチル（２．４５／７．１２）、酢酸ヘキシル（２．８３／１９３．３２）、酢酸ゲラニル（３．７２／６．１７）、酢酸ベンジル（１．９６／２４．９３）などが挙げられる。ここで、かっこ内の数字はＬｏｇＰｏｗ／蒸気圧（Ｐａ）を示す。ハーブ植物の水蒸気蒸留水は、１，８−シネオールを含むことが好ましい。例えば、ハーブ植物の水蒸気蒸留水が香料成分を含む、香料成分中、好ましくは２０質量％以上、より好ましくは３０質量％以上、更に好ましくは５０質量％以上が１，８−シネオールであることが好ましい。
【００１５】
一般に使用される香料成分は揮発性によってトップノート、ミドルノート、ベースノートの３種類に分けられ、トップノートは香りの嗅ぎ口に影響し、ミドルノートは香りの中心的役割を有し、ベースノートは残香性を付与する役割を有することが知られている。このような香料成分を含有する香料組成物を用いた場合には比較的蒸気圧の低いミドルノート香料やベースノート香料が残香し、仄かな香りと残香しない本発明の効果を得ることができない。また、トップノートの香料のみを用いた場合においても、例えばポリプロピレンなどの疎水性の硬質表面を処理した場合には疎水性の香料成分との親和性から残香する。
これに対して、本発明で用いるハーブ植物の水蒸気蒸留水は、香料成分の中でも親水性の素材が僅かに水層に溶解したものであり、それら香料素材の揮発性、ＬｏｇＰｏｗ、及び含有量などが本発明の効果を付与できる最適な組み合わせになっていると考えられる。
従って、本発明の処理液はハーブ植物の水蒸気蒸留水以外の香料成分を含有しないことが好ましく、ハーブ植物の水蒸気蒸留水以外の香料成分を含有する場合には、本発明の効果を損なわない程度の量であることが好ましい。具体的には、例えば、本発明の処理液におけるハーブ植物の水蒸気蒸留水以外の香料成分の含有量は、ハーブ植物の水蒸気蒸留水１質量部あたり、好ましくは０．１質量部以下、より好ましくは０．０５質量部以下、更に好ましくは０．０１質量部以下である。
【００１６】
本発明では、ハーブ植物の水蒸気蒸留水をそのまま本発明の処理液として用いてもよいが、ハーブ植物の水蒸気蒸留水と水とを配合してなる処理液を用いることが好ましい。すなわち、本発明では、ハーブ植物の水蒸気蒸留水と水とを混合して得た処理液を用いることができる。
ハーブ植物の水蒸気蒸留水と水との配合割合は、特に限定はなく、ハーブ植物の種類や水蒸気蒸留水中に含まれる香料成分の推定量などを踏まえて適宜決定できる。
一例として、前記で例示したハーブ植物の水蒸気蒸留水であれば、当該水蒸気蒸留水１質量部に対して好ましくは水１０質量部以上、より好ましくは２０質量部以上、更に好ましくは５０質量部以上、そして、好ましくは５００質量部以下、より好ましくは３００質量部以下、更に好ましくは２００質量部以下を配合してなる処理液を本発明の処理液とすることができる。
【００１７】
本発明の処理液は、ハーブ植物由来の成分以外の成分を含有することができる。例えば、陽イオン界面活性剤、両性界面活性剤、及び非イオン界面活性剤から選ばれる１種以上の界面活性剤を含有することができる。
また、本発明の処理液は、α−ヒドロキシカルボン酸、多塩基酸（但し、α−ヒドロキシカルボン酸を除く）、及びこれらの塩から選ばれる１種以上の有機酸又はその塩を含有することができる。
また、本発明の処理液は、炭素数２以上６以下の脂肪族アルコール、炭素数１以上６以下のアルキルグリコールエーテル、炭素数２以上６以下の脂肪族ジオールなどの揮発性有機溶媒を含有することができる。揮発性有機溶媒は、以下の防腐・防黴剤として機能するものであってよい。
また、本発明の処理液は、必要に応じて防腐・防黴剤として、４−ヒドロキシ安息香酸メチル（メチルパラベン）、４−ヒドロキシ安息香酸エチル（エチルパラベン）、４−ヒドロキシ安息香酸プロピル（プロピルパラベン）等のパラヒドロキシ安息香酸エステル（パラベン類）、エタノール、フェノキシエタノール、１，３−ブチレングリコール等のアルコールなどの成分を含有することができる。
また、本発明の処理液は、色素、酸化防止剤、ｐＨ調整剤等を任意に含有することができる。
【００１８】
本発明の処理液は、２０℃におけるｐＨが、取扱いの容易さ及び手肌への刺激性の観点から、４．０以上、そして、９．０以下、好ましくは８．０以下、より好ましくは７．０以下である。ｐＨの調整には、ｐＨ調整剤を用いることができる。ｐＨ調整剤としては塩酸や硫酸など無機酸や、有機酸など酸剤を用いることができる。また、アルカリ剤としては、水酸化ナトリウムや水酸化カリウム、炭酸ナトリウム、炭酸カリウムを用いることができる。
【００１９】
本発明が対象とする硬質表面は、プラスチック、ゴム、金属、タイル、レンガ、コンクリート、セメント、ガラス、木等からなる床、階段、壁等の固定物のほか、それらからなる各種器械、器具、道具、家具、食器等の人が接触するもの全般における硬質表面を挙げることができる。例えば、トイレ、風呂、洗面台、台所、リビングなどに存在する硬質表面に適用することができる。
【００２０】
本発明では、ハーブ植物の水蒸気蒸留水を配合してなる本発明の処理液を硬質表面に接触させて硬質表面を処理する。硬質表面の処理は、洗浄、殺菌、除菌、仕上げなどを目的とするものであってよく、これらの複合であってもよい。
本発明では、本発明の処理液を、噴霧、塗布、浸漬などにより、硬質表面に接触させて硬質表面を処理する。
本発明の硬質表面の処理方法としては、（１）本発明の処理液を硬質表面に噴霧する、例えばトリガー等の噴霧器（スプレーヤー）を用いて、本発明の処理液を硬質表面に噴霧する方法、（２）吸水性の可撓性材料からなる清掃用物品に本発明の処理液を染み込ませて硬質表面を擦る方法、及び（３）本発明の処理液に対象物を浸漬させる方法が挙げられ、簡便性の観点から、（１）の方法が好適である。本発明では、本発明の処理液を硬質表面に適用した後、必要に応じて本発明の処理液を塗り伸ばす操作、及び本発明の処理液を拭き取る操作、硬質表面を乾燥する操作から選ばれる操作を、単独又は組み合わせて行うことができる。
【００２１】
本発明の硬質表面の処理方法としては、本発明の処理液を、原液で、希釈せずに硬質表面に接触させる、つまり、本発明の処理液を、希釈することなく、硬質表面に接触させる硬質表面の処理方法が好ましく挙げられる。
本発明の処理液を希釈せずに硬質表面に接触させるとは、本発明の処理液を、意図的に水などで希釈した後、硬質表面と接触させないことである。例えば、本発明の処理液を水滴等が付着した硬質表面と接触させたり、本発明の処理液を硬質表面に接触させた後、硬質表面に水滴が付着したりする場合は、本発明の処理液を希釈せずに、硬質表面に接触させると理解できる。
本発明の硬質表面の処理方法では、本発明の処理液を、原液で、硬質表面に接触させるには、ボトルから直接塗布又は噴霧してもよく、ボトルとしては、例えば、スクイズボトル、スプレーボトル等が挙げられる。
また本発明の処理液を含浸させた清掃用物品使用時に、別途、他の本発明の処理液を、被清掃物又は前記清掃用物品に、噴霧しながら使用してもよい。当該使用方法によって、より広い面積を清掃することができる。
【００２２】
本発明の処理液を硬質表面に接触させた後は、水などによるすすぎ工程やハーブ植物の水蒸気蒸留水を対象表面からふき取るなどの工程は設けず、そのまま当該硬質表面を放置／乾燥させて、本発明の処理液の成分を硬質表面に残存させることが好ましい。
【実施例】
【００２３】
表１の成分を表１に示す配合量となるように配合して処理液を調製し、以下の項目について評価を行った。結果を表１に示す。表１の処理液を得るにあたり、まず、イオン交換水に、ローズマリー又はユーカリの水蒸気蒸留水と、表１に示す成分とを、表中の配合量となるように配合し、室温（２０℃）で溶解させた。配合後、ｐＨ調整剤として、水酸化ナトリウムを添加し、ｐＨを表１中に記載の値になるように調整した。なお、ｐＨはガラス電極法で測定した。
表１中、ローズマリー水蒸気蒸留水及びユーカリ水蒸気蒸留水の配合量で、かっこ内のｐｐｍは香料成分としての配合量を示す。また、表１中の配合量のｐｐｍと％は質量基準の割合であり、全て有効分に基づく数値である。表１の配合量は、イオン交換水の量で調整したので、便宜的にイオン交換水の配合量を「残部」と表記している。
【００２４】
＜香りの評価方法＞
表１に示す処理液をスプレー容器に入れ、木製テーブルの天板に４回（１ｍ２あたり３ｍｌ）スプレーし、その後、すぐに紙で拭き取った。スプレー直後の香り強度と、拭き取り１分後の香り強度を、それぞれ、専門パネル３名が下記基準で評価し、平均値を算出した。表には、スプレー直後の香り強度の平均値と、拭き取り１分後の香り強度の平均値を、それぞれ示した。また、スプレー直後の香り強度の平均値については、１以上２以下を〇とし、それ以外を×として表に示した。更に、拭き取り１分後の香り強度については、１未満を〇とし、それ以外を×として表に示した。○は合格水準にあることを意味し、×はその水準に到達していないことを意味する。
＊香り強度評価基準
０：無臭
１：香りをほのかに感じる
２：香りを感じる
３：香りを強く感じる
【００２５】
【表１】
2020199458.tif 000002
【００２６】
表中の成分は以下のものである。
・ローズマリー水蒸気蒸留水：香料成分を５０２ｐｐｍ、フェノキシエタノールを１質量％、１，３−ブチレングリコールを１０質量％含有し、香料成分中、６９．１質量％が１，８−シネオールであった。
・ユーカリ水蒸気蒸留水：香料成分を６７０ｐｐｍ、フェノキシエタノールを１質量％、１，３−ブチレングリコールを１０質量％含有し、香料成分中、８０質量％が１，８−シネオールであった。
・塩化ベンザルコニウム：サニゾールＣ、花王（株）製
・アルキルグリコシド：ＡＧ−１２４、花王（株）製